(57)【要約】      （修正有）【課題】ペットの葬儀に適したローソクを提供する。【解決手段】ローソク本体２と燃焼芯１とからなる涙滴型ローソクであって、該ローソク本体２の軸方向の長さ４に対する最大径３の比率が０．４〜０．６で、重量が０．４０ｇ〜１．２ｇである。【選択図】図１
0003213189.tif 000002
【実用新案登録請求の範囲】
【請求項１】
ローソク本体と燃焼芯とからなる涙滴型ローソクであって、該ローソク本体の軸方向の長さに対する最大径の比率が０．４〜０．６で、重量が０．４０ｇ〜１．２ｇであることを特徴とする涙滴型ローソク。
【請求項２】
該ローソク本体の表面に凸状シルエットデザインが設けられていることを特徴とする請求項１記載の涙滴型ローソク。
【考案の詳細な説明】
【技術分野】
【０００１】
本考案は、主にペット供養に使用されることを目的に設計された涙滴型ローソクに関するものである。ペット供養は、犬や猫などの大事なペットが死んだ際に、そのペットの死を悼んで、家族や知人友人がペット葬儀に参列したり、お別れ会で集ったりする際、あるいは手元供養に、１０分〜１５分間灯すことのできる涙滴型ローソクに関するものである。
【背景技術】
【０００２】
家族同然に大事に扱われてきたペットが死んだ場合に、人の葬儀と同様にペットの葬儀が行われるようになってきた。
その際、お通夜や葬儀は、人の場合に比べ、簡略化されているケースが多く、手元供養と言われる自宅で供養する際、ローソクを灯す時間も１０分〜１５分間程度の短時間が多い。
人の葬儀に使用される通常のローソクは、燃焼時間が長い洋ローソクや和ローソク形状のローソクが一般的で、ペット葬儀にも同様のローソクが使用されるケースが多い。
【考案の概要】
【考案が解決しようとする課題】
【０００３】
しかしながら、ペット葬に、亡くなった人の葬儀に使用する洋ローソクや和ローソク形状のローソクを使用する場合、ペット葬の通夜や葬儀時間が短時間のため、ほとんどのローソクが残ってしまうことと、自宅で手元供養を行う場合に火災防止のためにも、ペット葬に見合った１０〜１５分間の燃焼短時間のローソクが望まれていた。
さらに、人の葬儀とは異なり、ペットには犬や猫、あるいは小動物など、多様な動物が対象であり、画一的なローソク形状よりは、亡くなったペットをイメージするようなシルエットデザインが施されたローソクが望まれていた。
【課題を解決するための手段】
【０００４】
本考案者らは、ペット葬儀に適したローソクを提供するため検討した結果、本考案に到達したものである。
すなわち、本考案は、ローソク本体と燃焼芯とからなる涙滴型ローソクであって、該ローソク本体の軸方向の長さに対する最大径の比率が０．４〜０．６で、重量が０．４０ｇ〜１．２ｇであることを特徴とする涙滴型ローソクである。
また、本考案は、該ローソク本体の表面に凸状シルエットデザインが設けられていることを特徴とする請求項１記載の涙滴型ローソクである。
【考案の効果】
【０００５】
本考案の涙滴型ローソクとは、ローソク本体の軸方向の長さに対する最大径の比率が０．４〜０．６の涙滴型形状とすることで、（１）燃焼芯に点火された火炎が下降し、次いで上方にとがったローソク本体へのスムーズな移行が実現できる。さらに（２）ローソク本体が上方にとがっているため、ロウ垂れしにくくなり、
（３）ローソク本体下部が下方に半球状に狭まることで、燃焼終盤の燃え残り、残渣を少なくできる。            
さらには、短時間ローソクの場合、ボリュームが小さくなるものの、（４）水滴形状とすることで、単位長さ当たりの外観を大きく見せることが期待できる。
また、涙滴形状とすることで、ローソク本体の表面に肉球などの凸状シルエットデザインを施した際に点火された炎の灯りが上方への傾斜を透火してシルエットデザインが効果的に表出させることが期待できる。                                                                                                              
【図面の簡単な説明】
【０００６】
【図１】本考案の涙滴型ローソクの断面図である。
【図２】本考案の他の涙滴型ローソクの断面図である。
【図３】従来の円柱形状ローソクの断面図である。
【図４】従来の洋ローソク形状ローソクの断面図である。
【図５】本考案の涙滴型ローソク本体の表面に凸状シルエットデザインを施した水滴形状ローソクを灯した写真画像である。
【考案を実施するための形態】
【０００７】
図１は、本考案の涙滴型ローソクの断面図であり、ローソク本体２と燃焼芯１とからなる涙滴型ローソクであって、ローソク本体２の軸方向の長さ４に対する最大径３の比率が０．４〜０．６で、重量が０．４０ｇ〜１．２ｇであることを特徴としている。軸方向の長さ４に対する最大径3の比率が0.4未満であれば、全体としてスリムになり、ローソク底部の穴に燭台のローソク支持ピンを挿入した際に砕けやすくなり、穴単位長さ当たりのローソク本体重量が過小となり、さらにローソク本体の傾斜角度が大きくなる結果、灯した際の凸状シルエットデザイン表出が効果的でなくなり好ましくない。
また、軸方向の長さ４に対する最大径3の比率が0.６を超えると全体としてファットなイメージとなり、単位長さ当たりのローソク本体重量が過大となり、さらにロウ垂れしやすく、燃焼残渣も多くなる。
【０００８】
また、本考案の涙滴型ローソクの燃焼芯１の含浸被覆に用いるワックス及びローソク本体２の燃焼剤に用いられるワックスとは、従来公知のワックスであり限定されるものではなく、例えば、パラフィンワックス、マイクロクリスタリンワックス、ステアリン酸等の高級脂肪酸、ステアリルアルコールなどの高級アルコール、高級脂肪酸と高級アルコールとのエステルやパームオイル硬化油などの各種硬化油、ポリエチレンワックスなどの合成ワックスなどが用いられ、目的用途に応じ、配合ワックスとして使用できる。
【０００９】
本考案の涙滴型ローソクは、燃焼剤からなるローソク本体２と糸芯にワックスが被覆された燃焼芯１で構成されている。燃焼芯１を構成する糸芯は、溶融した燃焼剤を容易に吸い上げる毛細管現象を有するものであり、木綿、麻糸等の天然植物性繊維糸、レーヨン等の再生繊維糸が好ましく使用される。上記繊維糸を公知の手段で編み込み、組み込み等の手法で糸芯を製造する。
また、上記の繊維糸の本数を加減することで溶融ロウの吸い上げ能力を加減することで、該ローソクの燃焼量を加減する。通常、該ローソクの燃焼量は単位時間当たりに消費されるロウ重量で表される。
【００１０】
さらに、ローソク本体２の重量は、単位当たりの燃焼量と燃焼時間で決定される。該燃焼量は、通常、直径の大きいローソクは大きくなるように設計し、炎が大きくなる。一方、直径の小さいローソクは燃焼量を小さく、炎が小さくなるように設計される。本考案の涙滴型ローソクのローソク本体２のサイズに合わせた燃焼量としては、１分間当たり０．０４ｇ〜０．０８ｇの範囲の消費されるロウ重量が好ましい。  燃焼量が０．０４ｇより少なくなると炎が過小となり、好ましくなく、０．０８ｇを越えると、逆に炎が過大となり好ましくない。
さらに、本考案の涙滴型ローソクの使用される目的用途に沿った燃焼時間は１０分間〜１５分間の短時間に設計しているため、ローソク本体重量は、０．０４ｇ／分×１０分〜０．０８ｇ／分×１５分、すなわち０．４０ｇ〜１．２ｇが望ましい。
【００１１】
次に、本考案の涙滴型ローソクを実施例及び比較例にて説明する。
比較例及び実施例のすべてが、パラフィンワックスを主体の燃焼剤と木綿芯よりなるローソクサンプルであり、比較例及び実施例のすべてのローソクサンプルは、底部に支持ピンが挿入できる穴（φ２×８）を設けた。
【００１２】
以下実施例により本考案を具体的に説明する。なお、本考案は下記の実施例に限定されるものではない。
比較例１及び比較例２
図３に示す形状で、表１に示すサイズの円柱形状ローソクを比較例1サンプルとし、図４に示す形状で表１に示すサイズの洋ローソク形状のローソクを比較例２サンプルとした。
［実施例１〜実施例３］
図1に示す涙滴型ローソクのうちで、表1に示すサイズの、軸方向の長さに対する最大径の比率が０．４、０．５、０．６の涙滴型ローソクをそれぞれ、実施例1サンプル、実施例２サンプル及び実施例３サンプルとした。      
【００１３】
［比較例３及び比較例４］
さらに、図1に示す涙滴型ローソクのうちで、表1に示すサイズの、軸方向の長さに対する最大径の比率が０．35及び０．６５の涙滴型ローソクをそれぞれ、比較例３サンプル及び比較例４サンプルとした。    
【００１４】
評価項目の内、１）本体への火炎移行性（燃焼芯先端に点火された火炎が下降しローソク本体への移行しやすさ）に関しては、ローソク本体上部が尖った洋ローソク形状や涙滴型のローソクが火炎移行性に優れ、２）ロウ垂れに関しては涙滴型で直径の小さいローソクがロウ垂れしにくい。
【００１５】
さらに、３）燃焼残渣に関しては、ローソク底部が半球状の涙滴型のローソクが燃え残りが少なくなり、４）燃焼時間に関しては、同じ直径、同じ高さのローソクの内、涙滴型が最も体積が小さく、燃焼の短時間を期待する場合には、涙滴型ローソクが有利となる。
【００１６】
５）ローソクの底部の穴に燭台支持ピンを挿入した場合の、支持ピン保持性であるが、ローソク本体の直径が最も小さい比較例３が割れやすい以外は良好であった。
【００１７】
表1に各評価項目の評価結果及び総合評価結果を示す。
0003213189.tif 000003
上記実施例及び比較例ら明らかなようにローソク本体の軸方向の長さに対する最大径の比率が０．４〜０．６である涙滴型ローソクがペット葬儀用のローソクとして優れていることは明らかである。
【産業上の利用可能性】
【００１８】
本考案は、主にペット供養に使用されることを目的に設計された涙滴型ローソクに関するものである。ペット供養は、犬や猫などの大事なペットが死んだ際に、そのペットの死を悼んで、家族や知人友人がペット葬儀に参列したり、お別れ会で集ったりする際、あるいは手元供養に、１０分〜１５分間灯すことのできる涙滴型ローソクに関するものである。
しかしながら、ペット葬に、亡くなった人の葬儀に使用する洋ローソクや和ローソク形状のローソクを使用する場合、ペット葬の通夜や葬儀時間が短時間のため、ほとんどのローソクが残ってしまうことと、自宅で手元供養を行う場合に火災防止のためにも、ペット葬に見合った１０〜１５分間の燃焼短時間のローソクが望まれていた。
さらに、人の葬儀とは異なり、ペットには犬や猫、あるいは小動物など、多様な動物が対象であり、画一的なローソク形状よりは、亡くなったペットをイメージするようなシルエットデザインが施されたローソクが望まれていた。
本考案の涙滴型ローソクは上記要望を充足するペット葬儀用として最適なローソクである。
【符号の説明】
【００１９】
１  燃焼芯
２  ローソク本体
３  ローソク本体の最大径
４  ローソク本体の軸方向の長さ
５  燭台ローソク支持ピンの挿入穴
【図１】
0003213189.tif 000004
【図５】
0003213189.tif 000005
【手続補正書】
【提出日】平成29年8月16日(2017.8.16)
【手続補正１】
【補正対象書類名】図面
【補正対象項目名】全図
【補正方法】変更
【補正の内容】
【図１】
0003213189.tif 000006
【図２】
0003213189.tif 000007
【図３】
0003213189.tif 000008
【図４】
0003213189.tif 000009
【手続補正書】
【提出日】平成29年9月23日(2017.9.23)
【手続補正１】
【補正対象書類名】明細書
【補正対象項目名】０００６
【補正方法】変更
【補正の内容】
【０００６】
【図１】本考案の涙滴型ローソクの断面図である。
【図２】本考案の他の涙滴型ローソクの断面図である。
【図３】従来の円柱形状ローソクの断面図である。
【図４】従来の洋ローソク形状ローソクの断面図である。